(57)【要約】【課題】スピーカから出力される音の質が低下することを抑制することが可能なスピーカ搭載機器を提供する。【解決手段】このスピーカ搭載フォトフレーム１００（スピーカ搭載機器）は、前側筺体１０と、前面３９と後面３６とを有するとともに前面が前側筺体１０に対向するように配置されるスピーカ３０と、スピーカ３０から出力される後音を透過させるための後音開口部５５が形成されるとともにスピーカ３０を後面３６側から支持するメイン基板５０とを備える。【選択図】図２
2012244462.tif 000002
【特許請求の範囲】
【請求項１】
筺体と、
前面と後面とを有するとともに前記前面が前記筺体に対向するように配置されるスピーカと、
前記スピーカから出力される後音を透過させるための後音開口部が形成されるとともに前記スピーカを前記後面側から支持するスピーカ支持部とを備えた、スピーカ搭載機器。
【請求項２】
前記スピーカは、前記スピーカ支持部が前記筺体に取り付けられることによって前記スピーカ支持部により前記筺体側に支持されるように構成されている、請求項１に記載のスピーカ搭載機器。
【請求項３】
前記スピーカは、接着層を介して前記スピーカ支持部に取り付けられるように構成されている、請求項１または２に記載のスピーカ搭載機器。
【請求項４】
前記スピーカ支持部は、電子部品が実装される基板と一体的に設けられているとともに、前記基板と一体的に設けられた前記スピーカ支持部により前記スピーカの前記後面が支持されている、請求項３に記載のスピーカ搭載機器。
【請求項５】
前記基板と一体的に設けられた前記スピーカ支持部は、所定の間隔を隔てて周囲に設けられた複数の位置決め部を含むとともに、前記複数の位置決め部の間に前記後音開口部が設けられている、請求項４に記載のスピーカ搭載機器。
【請求項６】
前記スピーカ支持部には、前記スピーカを嵌め込むための切欠部が形成されており、
前記複数の位置決め部は、前記切欠部の内側に向かって突出するとともに前記スピーカの側面部に当接する複数の突出部を含み、
前記後音開口部は、前記切欠部のうちの前記複数の突出部が設けられていない前記複数の突出部の間の部分により構成されている、請求項５に記載のスピーカ搭載機器。
【請求項７】
前記スピーカ支持部の切欠部は、異なる半径を有する２つの同心円形状部を含み、
前記後音開口部の内周面は、前記２つの同心円形状部のうちの大きい前記同心円形状部によって形成されているとともに、
前記突出部の内周面は、前記２つの同心円形状部のうちの小さい前記同心円形状部によって形成されている、請求項６に記載のスピーカ搭載装置。
【請求項８】
前記筺体は、前記スピーカから出力される前音が前記筺体の前音開口部から出力されるようにガイドするガイド部を含み、
前記スピーカと前記ガイド部との間の隙間には、前記前音が漏れるのを抑制する音漏れ抑制部材が配置されている、請求項１〜７のいずれか１項に記載のスピーカ搭載機器。
【請求項９】
前記音漏れ抑制部材は、弾力性を有する材料により構成されるとともに前記スピーカにより発生される振動を抑制するように構成されている、請求項８に記載のスピーカ搭載機器。
【発明の詳細な説明】
【技術分野】
【０００１】
この発明は、スピーカ搭載機器に関し、特に、スピーカおよびスピーカ支持部を備えたスピーカ搭載機器に関する。
【背景技術】
【０００２】
従来、スピーカおよびスピーカ支持部を備えたスピーカ搭載機器が知られている（たとえば、特許文献１参照）。
【０００３】
上記特許文献１には、表示部と、スピーカと、スピーカの後面側を覆った状態でスピーカを支持するスピーカホルダ（スピーカ支持部）とを備える表示装置（スピーカ搭載機器）が開示されている。このスピーカは、スピーカホルダを介して表示部の側部に取り付けられている。
【先行技術文献】
【特許文献】
【０００４】
【特許文献１】特開２００７−６７４６２号公報
【発明の概要】
【発明が解決しようとする課題】
【０００５】
しかしながら、上記特許文献１に記載の表示装置（スピーカ搭載機器）では、スピーカの後面側がスピーカホルダ（スピーカ支持部）により覆われているので、スピーカの後音（スピーカの後面から出力される音）がスピーカホルダにより遮断されてこもり音が発生するという不都合がある。このため、上記特許文献１に記載の表示装置（スピーカ搭載機器）では、スピーカから出力される音の質が低下するという問題点がある。
【０００６】
この発明は、上記のような課題を解決するためになされたものであり、この発明の１つの目的は、スピーカから出力される音の質が低下することを抑制することが可能なスピーカ搭載機器を提供することである。
【課題を解決するための手段および発明の効果】
【０００７】
この発明の一の局面によるスピーカ搭載機器は、筺体と、前面と後面とを有するとともに前面が筺体に対向するように配置されるスピーカと、スピーカから出力される後音を透過させるための後音開口部が形成されるとともにスピーカを後面側から支持するスピーカ支持部とを備える。
【０００８】
この発明の一の局面によるスピーカ搭載機器では、上記のように、スピーカから出力される後音を透過させるための後音開口部が形成されるとともにスピーカを後面側から支持するスピーカ支持部を設けることによって、スピーカから出力される後音を後音開口部を介してスピーカ支持部の後方側に逃すことができるので、後音がスピーカ支持部により遮断されることに起因してこもり音が発生するのを抑制することができる。その結果、スピーカから出力される音の質が低下することを抑制することができる。また、スピーカ支持部に後音開口部を設けることによって、後音がスピーカ支持部により反射されるのを抑制することができるので、前音と反射された後音とが干渉することに起因して音が小さくなるのを抑制することができる。
【０００９】
上記一の局面によるスピーカ搭載機器において、好ましくは、スピーカは、スピーカ支持部が筺体に取り付けられることによってスピーカ支持部により筺体側に支持されるように構成されている。このように構成すれば、スピーカ支持部を筺体に取り付けるだけで、容易に、スピーカ支持部と筺体との間でスピーカを支持することができる。
【００１０】
上記一の局面によるスピーカ搭載機器において、好ましくは、スピーカは、接着層を介してスピーカ支持部に取り付けられるように構成されている。このように構成すれば、接着層により、容易に、スピーカをスピーカ支持部に取り付けることができるので、組立作業を簡素化することができる。
【００１１】
この場合、好ましくは、スピーカ支持部は、電子部品が実装される基板と一体的に設けられているとともに、基板と一体的に設けられたスピーカ支持部によりスピーカの後面が支持されている。このように構成すれば、基板がスピーカ支持部としても兼用されるので、スピーカを支持するための専用のスピーカ支持部を別途設ける必要がなく、その分、部品点数の増加を抑制することができる。
【００１２】
上記スピーカ支持部が基板と一体的に設けられている構成において、好ましくは、基板と一体的に設けられたスピーカ支持部は、所定の間隔を隔てて周囲に設けられた複数の位置決め部を含むとともに、複数の位置決め部の間に後音開口部が設けられている。このように構成すれば、複数の位置決め部によりスピーカが確実に位置決めされるので、スピーカを安定して支持することができるとともに、位置決め部間のスペースを利用して後音開口部を設けることができる。
【００１３】
上記スピーカ支持部が複数の位置決め部を含む構成において、好ましくは、スピーカ支持部には、スピーカを嵌め込むための切欠部が形成されており、複数の位置決め部は、切欠部の内側に向かって突出するとともにスピーカの側面部に当接する複数の突出部を含み、後音開口部は、切欠部のうちの複数の突出部が設けられていない複数の突出部の間の部分により構成されている。このように構成すれば、内側に向かって突出する複数の突出部を有する切欠部を設けるだけで、容易に、位置決め部および後音開口部の両方を形成することができる。
【００１４】
上記スピーカ支持部に切欠部が形成された構成において、好ましくは、スピーカ支持部の切欠部は、異なる半径を有する２つの同心円形状部を含み、後音開口部の内周面は、２つの同心円形状部のうちの大きい同心円形状部によって形成されているとともに、突出部の内周面は、２つの同心円形状部のうちの小さい同心円形状部によって形成されている。このように構成すれば、後音が出力される部分と位置決め部が当接される側面部とが同心円状に配置されたスピーカに対して、突出部の内周面をスピーカの側面部に当接させて容易にスピーカを位置決めすることができるとともに、スピーカから出力される後音を後音開口部を介して効率よく後方側に逃すことができる。
【００１５】
上記一の局面によるスピーカ搭載機器において、好ましくは、筺体は、スピーカから出力される前音が筺体の前音開口部から出力されるようにガイドするガイド部を含み、スピーカとガイド部との間の隙間には、前音が漏れるのを抑制する音漏れ抑制部材が配置されている。このように構成すれば、音漏れ抑制部材により前音の音漏れを抑制して前音を前音開口部から効率よく出力させることができる。
【００１６】
この場合、好ましくは、音漏れ抑制部材は、弾力性を有する材料により構成されるとともにスピーカにより発生される振動を抑制するように構成されている。このように構成すれば、音漏れ抑制部材により、スピーカの振動に起因して発生するビビリ音を低減させることができるので、スピーカから出力される音の質が低下することをより抑制することができる。
【図面の簡単な説明】
【００１７】
【図１】本発明の第１実施形態によるスピーカ搭載フォトフレームの全体構成を示した斜視図である。
【図２】図１に示したスピーカ搭載フォトフレームの全体構成を示した分解斜視図である。
【図３】図１に示したスピーカ搭載フォトフレームのスピーカの後面を示した平面図である。
【図４】図１に示したスピーカ搭載フォトフレームのスピーカの前面を示した平面図である。
【図５】図１に示したスピーカ搭載フォトフレームの基板を示した平面図である。
【図６】図１に示したスピーカ搭載フォトフレームにおいてスピーカを取り付けた状態を示した平面図である。
【図７】図６の５００−５００線に沿った断面図である。
【図８】図６の６００−６００線に沿った断面図である。
【図９】本発明の第２実施形態によるスピーカ搭載フォトフレームの全体構成を示した分解斜視図である。
【図１０】図９に示したスピーカ搭載フォトフレームにおいてスピーカを取り付けた状態を示した平面図である。
【図１１】図１０の７００−７００線に沿った断面図である。
【図１２】本発明の第１実施形態によるフォトフレーム型アダプタの第１変形例を示した図である。
【図１３】本発明の第１実施形態によるフォトフレーム型アダプタの第２変形例を示した図である。
【発明を実施するための形態】
【００１８】
（第１実施形態）
以下、図１〜図８を参照して、本発明の第１実施形態によるスピーカ搭載フォトフレーム１００の構成について説明する。スピーカ搭載フォトフレーム１００は、本発明の「スピーカ搭載機器」の一例である。
【００１９】
第１実施形態によるスピーカ搭載フォトフレーム１００は、図１および図２に示すように、前側筺体１０と、後側筺体２０とを備える。なお、前側筺体１０は、本発明の「筺体」の一例である。また、図２に示すように、スピーカ搭載フォトフレーム１００の内部には、スピーカ３０と、複数の電子部品１２０が実装されたメイン基板５０とが設けられている。また、メイン基板５０は本発明の「スピーカ支持部」の一例である。
【００２０】
前側筺体１０は、図１および図２に示すように、スピーカ搭載フォトフレーム１００の前側（Ｙ２方向側）に配置されている。図１に示すように、前側から見て、前側筺体１０の右側（Ｘ２方向側）の下側（Ｚ１方向側）部分には、スピーカ３０から出力される前音をスピーカ搭載フォトフレーム１００の前側に出すための前音開口部１１が設けられている。前音開口部１１は、複数の貫通孔１１１（図７参照）により構成されている。前音開口部１１に対応する前側筺体１０の内側の部分には、スピーカ３０から出力される前音が前音開口部１１から出力されるようにガイドするガイド部１２が設けられている。ガイド部１２は、円筒形状を有している。
【００２１】
後側筺体２０は、図２に示すように、スピーカ搭載フォトフレーム１００の後側（Ｙ１方向側）に配置されている。後側筺体２０は、ねじ１１０によって前側筺体１０に取り付けられるように構成されている。
【００２２】
スピーカ３０は、図３に示すように、本体部分３１と本体部分３１の後側に設けられたマグネット部３２とを含んでいる。本体部分３１は、平面的に見て略円形状を有している。また、マグネット部３２は、平面的に見て本体部分３１よりも小さい半径を有する略円形状を有している。本体部分３１およびマグネット部３２は、平面的に見て互いに同心円形状に形成されている。スピーカ３０の後面３６（Ｙ１方向側）には、本体部分３１の外縁に沿って円弧状のスピーカ基板３３が設けられている。スピーカ３０は、スピーカ基板３３上の接続部３４がリード線１３０（図６〜図８参照）によりメイン基板５０の接続部５１（図６参照）に接続されている。スピーカ３０は、メイン基板５０により後面３６側から支持されるように構成されている。具体的には、スピーカ３０は、メイン基板５０がねじ１４０により前側筺体１０に取り付けられることによって前側筺体１０側に支持されるように構成されている。また、スピーカ３０は、両面テープ５４によりメイン基板５０の前側表面に取り付けられるように構成されている。両面テープ５４は、本体部分３１の取付面（後面３６）に合うように円弧状に形成されている。両面テープ５４は、不織布からなり音を透過可能に構成されている。これにより、後述の後音出力部３５を覆うように両面テープ５４を設けても、スピーカ３０の後音を後方側に出力させることが可能である。
【００２３】
図３に示すように、本体部分３１の後面３６（Ｙ１方向側）には、後側に向かって後音を出力する複数の円形状の後音出力部３５が設けられている。複数の後音出力部３５は、本体部分３１の外縁に沿って所定の角度間隔で配置されている。各後音出力部３５は、後面３６側（Ｙ１方向側）から見て、略円形状を有しているとともに、凹形状を有している。
【００２４】
図４に示すように、本体部分３１の前面３９（Ｙ２方向側）には、前側に向かって前音を出力する複数の前音出力部３８ａおよび１つの前音出力部３８ｂが設けられている。複数の前音出力部３８ａは、本体部分３１の外縁に沿って円形状に配置されている。前音出力部３８ｂは、前音出力部３８ａに取り囲まれるように本体部分３１の中央部に配置されている。各前音出力部３８ａおよび前音出力部３８ｂは、前面３９側から見て略円形状を有しているとともに、凹形状を有している。前音出力部３８ａおよび前音出力部３８ｂから出力された前音は、前側筺体１０のガイド部１２の内部を通って前音開口部１１からスピーカ搭載フォトフレーム１００の前側に出力される。また、スピーカ３０の前面３９は、前側筺体１０に対向するように配置されている。スピーカ３０と前側筺体１０のガイド部１２との間には、前音が漏れるのを抑制する音漏れ抑制部材４０が配置されている。
【００２５】
音漏れ抑制部材４０は、図２、図７および図８に示すように、ガイド部１２とスピーカ３０とにより挟み込まれるように構成されている。音漏れ抑制部材４０は、中空の略矩形形状を有している。音漏れ抑制部材４０は、前側筺体１０のガイド部１２の形状に対応する形状に形成されている。音漏れ抑制部材４０は、弾力性を有するポリウレタンフォームからなるポロン（登録商標）により構成されており、スピーカ３０が出力した音に起因してスピーカ３０が振動することを抑制する機能を有している。
【００２６】
メイン基板５０には、図５に示すように、切欠部５２が形成されている。切欠部５２には、切欠部５２の内側に向かって突出する３つの突出部５３がメイン基板５０と一体的に形成されている。３つの突出部５３は、所定の間隔を隔てて設けられている。なお、突出部５３は、本発明の「位置決め部」の一例である。
【００２７】
ここで、第１実施形態では、切欠部５２のうちの突出部５３が設けられていない３つの突出部５３の間の部分によりスピーカ３０の後音を透過させるための２つの後音開口部５５が設けられている。後音開口部５５は、図６および図８に示すように、スピーカ３０がメイン基板５０に取り付けられた状態で、スピーカ３０の後音出力部３５に対応する位置に配置されている。後音開口部５５は、突出部５３の周方向の幅Ｗ１より大きい周方向の幅Ｗ２を有している。
【００２８】
切欠部５２は、図６に示すようにスピーカ３０が嵌め込まれるように構成されている。突出部５３は、切欠部５２に嵌め込まれたスピーカ３０のマグネット部３２の側面部３７に当接することによりスピーカ３０の位置決めを行うように構成されている。切欠部５２は、異なる半径を有する２つの同心円形状部から形成されている。突出部５３の内周面５３ａは、切欠部５２の異なる半径を有する２つの同心円形状部のうちの小さい同心円形状部により形成されている。後音開口部５５の内周面５５ａは、切欠部５２の異なる半径を有する２つの同心円形部のうちの大きい同心円形部により形成されている。
【００２９】
次に、図２、図６〜図８を参照してスピーカ３０の取り付け手順について説明する。まず、図２および図６〜図８に示すように、スピーカ３０をメイン基板５０の切欠部５２に嵌め込んだ状態で両面テープ５４を介してメイン基板５０の裏側表面に取り付ける。この際、図６および図７に示すように、スピーカ３０のマグネット部３２の側面部３７を突出部５３の内周面５３ａに当接させることにより、スピーカ３０の位置決めを行う。また、音漏れ抑制部材４０をガイド部１２の対応する位置に配置する。そして、メイン基板５０に取り付けられたスピーカ３０を音漏れ抑制部材４０上の対応する位置に配置する。この状態で、メイン基板５０をねじ１４０により前側筺体１０に取り付ける。これにより、ガイド部１２とスピーカ３０との間に音漏れ抑制部材４０を挟み込んだ状態で、スピーカ３０がメイン基板５０により前側筺体１０側に支持される。
【００３０】
第１実施形態では、上記のように、スピーカ３０から出力される後音を透過させるための後音開口部５５が形成されるとともにスピーカ３０を後面３６側から支持するメイン基板５０を設けることによって、スピーカ３０から出力される後音をメイン基板５０の後音開口部５５を介してメイン基板５０の後方側に逃すことができるので後音がメイン基板５０により遮断されることに起因してこもり音が発生するのを抑制することができる。その結果、スピーカ３０から出力される音の質が低下することを抑制することができる。また、メイン基板５０に後音開口部５５を設けることによって、後音がメイン基板５０により反射されるのを抑制することができるので、前音と反射された後音とが、干渉することに起因して音が小さくなるのを抑制することができる。
【００３１】
第１実施形態では、上記のように、メイン基板５０が前側筺体１０に取り付けられることによってメイン基板５０により前側筺体１０側に支持されるようにスピーカ３０を構成することによって、メイン基板５０を前側筺体１０に取り付けるだけで、容易に、スピーカ３０を支持することができる。
【００３２】
第１実施形態では、上記のように、両面テープ５４を介してメイン基板５０に取り付けられるようにスピーカ３０を構成することによって、両面テープ５４により、容易に、スピーカ３０をメイン基板５０に取り付けることができるので、組立作業を簡素化することができる。
【００３３】
第１実施形態では、上記のように、電子部品１２０が実装されるメイン基板５０によりスピーカ３０の後面３６を支持することによって、スピーカ３０を支持するための専用のスピーカ支持部を別途設ける必要がなく、その分、部品点数の増加を抑制することができる。
【００３４】
第１実施形態では、上記のように、メイン基板５０に所定の間隔を隔てて複数の突出部５３を設けるとともに、複数の突出部５３の間に後音開口部５５を設けることによって、複数の突出部５３によりスピーカ３０が確実に位置決めされるので、メイン基板５０によりスピーカ３０を安定して支持することができるとともに、突出部５３間のスペースを利用して後音開口部５５を設けることができる。
【００３５】
第１実施形態では、上記のように、メイン基板５０の切欠部５２の内側に向かって突出してスピーカ３０の側面部３７に当接する複数の突出部５３を位置決め部とするとともに、切欠部５２のうちの複数の突出部５３が設けられていない複数の突出部５３の間の部分を後音開口部５５とすることによって、内側に向かって突出する複数の突出部５３を有する切欠部５２を設けるだけで、容易に、突出部５３からなる位置決め部および後音開口部５５の両方を形成することができる。
【００３６】
第１実施形態では、上記のように、大きい同心円形状部によって後音開口部５５の内周面５５ａを形成するとともに、小さい同心円形状部によって突出部５３の内周面５３ａを形成する異なる半径を有する２つの同心円形状部を切欠部５２に設けることによって、後音出力部３５と突出部５３が当接される側面部３７とが同心円状に配置されたスピーカ３０に対して、突出部５３の内周面５３ａを側面部３７に当接させて容易にスピーカ３０を位置決めすることができるとともに、後音を後音開口部５５を介して効率よく後方側に逃すことができる。
【００３７】
第１実施形態では、上記のように、前側筺体１０にスピーカ３０から出力される前音が前側筺体１０の前音開口部１１から出力されるようにガイドするガイド部１２を設けるとともに、スピーカ３０とガイド部１２との間の隙間には、前音が漏れるのを抑制する音漏れ抑制部材４０を配置することによって、音漏れ抑制部材４０により前音の音漏れを抑制して前音を前音開口部１１から効率よく出力させることができる。
【００３８】
第１実施形態では、上記のように、弾力性を有するポロン（登録商標）により音漏れ抑制部材４０を構成することによって、スピーカ３０の振動に起因して発生するビビリ音を低減させることができるので、スピーカ３０から出力される音の質が低下することをより抑制することができる。
【００３９】
（第２実施形態）
以下、図９〜図１１を参照して、本発明の第２実施形態によるスピーカ搭載フォトフレーム２００の構成について説明する。なお、スピーカ搭載フォトフレーム２００（図１参照）は、本発明の「スピーカ搭載機器」の一例である。
【００４０】
この第２実施形態では、メイン基板５０によってスピーカ３０を支持するように構成した第１実施形態と異なり、スピーカホルダ５０ａによってスピーカ３０を支持するように構成したスピーカ搭載フォトフレーム２００について説明する。
【００４１】
図９および図１０に示すように、第２実施形態によるスピーカ搭載フォトフレーム２００では、スピーカ３０のマグネット部３２を後面３６側（Ｙ１方向側）から支持するスピーカホルダ５０ａが設けられている。スピーカホルダ５０ａは、メイン基板５０とは別個に設けられている。スピーカホルダ５０ａのスピーカ３０の後音出力部３５に対応する位置には、スピーカ３０の後音を透過させるための複数の後音開口部５０ｂが設けられている。複数の後音開口部５０ｂは、後音出力部３５に対応して円形状に配置されている。また、スピーカホルダ５０ａには、スピーカ３０のスピーカ基板３３を露出させる形状に切欠５０ｃが形成されている。
【００４２】
次に、図９〜図１１を参照してスピーカ３０の取り付け手順について説明する。まず、図９〜図１１に示すように、音漏れ抑制部材４０をガイド部１２の対応する位置に配置する。また、スピーカ３０１を音漏れ抑制部材４０上の対応する位置に配置する。そして、スピーカ３０を音漏れ抑制部材４０の上に配置した状態で、スピーカホルダ５０をねじ１４０ａにより前側筺体１０に取り付ける。これにより、ガイド部１２とスピーカ３０との間に音漏れ抑制部材４０を挟み込んだ状態で、スピーカ３０がスピーカホルダ５０ａにより前側筺体１０側に支持される。
【００４３】
なお、第２実施形態のその他の構成は、上記第１実施形態と同様である。
【００４４】
第２実施形態では、上記のように、スピーカ３０から出力される後音を透過させるための後音開口部５０ｂが形成されるとともにスピーカ３０を後面３６側から支持するスピーカホルダ５０ａを設けることによって、スピーカから出力される後音をスピーカホルダ５０ａの後音開口部５０ｂを介してスピーカホルダ５０ａの後方側に逃すことができるので後音がスピーカホルダ５０ａにより遮断されることに起因してこもり音が発生するのを抑制することができる。その結果、スピーカ３０から出力される音の質が低下することを抑制することができる。また、スピーカホルダ５０ａに後音開口部５０ｂを設けることによって、後音がスピーカホルダ５０ａにより反射されるのを抑制することができるので、前音と反射された後音とが、干渉することに起因して音が小さくなるのを抑制することができる。
【００４５】
なお、第２実施形態のその他の効果は、上記第１実施形態と同様である。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
上記第１および第２実施形態では、本発明を、スピーカ搭載フォトフレームに適用した例を示したが、本発明はこれに限られない。本発明は、スピーカ搭載フォトフレーム以外のスピーカ搭載機器に適用してもよい。
【００４８】
上記第１実施形態では、接着層として両面テープ５４を用いた例を示したが、本発明はこれに限られない。本発明では、両面テープに変えて、たとえば接着層として接着剤を用いてもよい。
【００４９】
上記第１実施形態では、複数の突出部５３が、所定の間隔を隔てて設けられている例を示したが、本発明はこれに限られない。本発明では、スピーカ支持部は、不規則な間隔を隔てて設けられてもよい。
【００５０】
上記１実施形態では、メイン基板５０の縁部に設けられた切欠部に対応する位置にスピーカを取り付ける例を示したが、本発明はこれに限られない。本発明では、図１２および図１３に示すように、スピーカを基板の内側に設けるとともにスピーカに対応する部分に、後音を透過させる貫通孔からなる後音開口部３５５および４５５を設けるようにしてもよい。
【００５１】
上記第１および第２実施形態では、音漏れ抑制部材４０が、弾力性を有するポリウレタンフォームからなるポロン（登録商標）により構成する例を示したが、本発明はこれに限られない。本発明では、音漏れ抑制部材を、弾力性を有する材料であればポロン（登録商標）以外のポリウレタンフォームからなる材料により構成してもよいし、ポリウレタンフォーム以外の材料により構成してもよい。
【符号の説明】
【００５２】
１０  前側筺体（筺体）
１１  前音開口部
１２  ガイド部
２０  後側筺体
３０  スピーカ
３６  後面
３７  側面部
３９  前面
４０  音漏れ抑制部材
５０  メイン基板（スピーカ支持部）
５０ａ  スピーカホルダ
５２  切欠部
５３  突出部（位置決め部）
５４  両面テープ（接着層）
５５、５０ｂ、３５５、４５５  後音開口部
１００、２００  スピーカ搭載フォトフレーム（スピーカ搭載機器）
１２０  電子部品
【図１】
2012244462.tif 000003
【図２】
2012244462.tif 000004
【図３】
2012244462.tif 000005
【図４】
2012244462.tif 000006
【図５】
2012244462.tif 000007
【図６】
2012244462.tif 000008
【図７】
2012244462.tif 000009
【図８】
2012244462.tif 000010
【図９】
2012244462.tif 000011
【図１０】
2012244462.tif 000012
【図１１】
2012244462.tif 000013
【図１２】
2012244462.tif 000014
【図１３】
2012244462.tif 000015